(57)【要約】      （修正有）【課題】他の個々の部材を準備する必要がなく、また、他の個々の部材を座布団に配置する手間が省ける、１個の座布団で、膝折りすわりを楽に、かつ安定に、使用者の骨盤を上げて座る状態を保つ、健康に良い、膝楽く座布団を提供する。【解決手段】座布団台座１と、前記座布団台座１の両側面に配置された右側肘・手持ちヘリ２と、左側肘・手持ちヘリ３と、前記右側肘・手持ちヘリ２と、左側肘・手持ちヘリ３との間であって、前記座布団台座の後方部分にて、膝折りすわり保持具４が、配置され、使用者が、右足を、前記右側肘・手持ちヘリ２と、膝折りすわり保持具との間に差し込み、左足を、前記左側肘・手持ちヘリ３と、膝折りすわり保持具との間に差し込み、腰を、前記膝折りすわり保持具の上に置いて使用者の骨盤が上げらた状態が保持されて、膝折りすわりが行われることを特徴とする膝楽く座布団とする。【選択図】図１
2018099225.tif 000002
【特許請求の範囲】
【請求項１】
座布団台座と、前記 座布団台座の両側面に配置された右側肘・手持ちヘリと、左側肘・手持ちヘリと、
前記右側肘・手持ちヘリと、左側肘・手持ちヘリとの間であって、前記座布団台座の後方部分にて、膝折りすわり保持具が、配置され、
使用者が、右足を、前記右側肘・手持ちヘリと、膝折りすわり保持具との間に差し込み、
左足を、前記左側肘・手持ちヘリと、膝折りすわり保持具との間に差し込み、腰を、
前記膝折りすわり保持具の上に置いて
使用者の骨盤が上げらた状態が保持されて、
膝折りすわりが行われることを特徴とする膝楽く座布団。
【請求項２】
前記膝折りすわり保持具は、円板形状の部材を、複数重ねたことを特徴とする
請求項１記載の膝楽く座布団。
【請求項３】
前記膝折りすわり保持具は、円柱形状部材と、前記円柱形状部材の上面に配置された、中空突起部材とで構成されたことを特徴とする請求項１記載の膝楽く座布団。
【請求項４】
前記膝折りすわり保持具は、きのこ型の形状であることを特徴とする請求項１記載の膝楽く座布団。
【請求項５】
前記膝折りすわり保持具は、円柱部と、前記円柱部の両側に配置された、使用者のすわる時のガイドの役目をはたすガイド側壁とで構成されたことを特徴とする請求項１記載の膝楽く座布団。
【請求項６】
前記膝折りすわり保持具の外径の最大部分の寸法は、直径１５ｃｍ以上から２０ｃｍ以下の範囲、高さ寸法は、１２ｃｍから１７ｃｍ以下の範囲であることを特徴とする請求項１ないし５のいずれか１項記載の膝楽く座布団。
【請求項７】
前記膝折りすわり保持具には、使用者が膝折りすわりすわるのに、さまたげとならない領域に、キャラクタ部材が取り付けられた事を特徴とする請求項１ないし６のいずれか１項記載の膝楽く座布団。
【発明の詳細な説明】
【技術分野】
【０００１】
本発明は、使用者が、膝折りすわりを楽に、かつ安定に、簡単に行うことができる膝楽く座布団に関する。
【背景技術】
【０００２】
図６は、従来の、使用者２０が、膝折りすわりを行う場合に、座布団の使用状態の図である。図６に示すごとく、膝折りすわりを行う場合は、第１の座布団１００の上に、他の薄い第２の座布団６０を、例えば２つ折りにして、第１の座布団１００の端部に置き、使用者が、膝折りすわりを行う。図６に示すごとく、使用者２０の右足２２、左足２１、および臀部２３は、２つ折りにした、前記第２の座布団６０の上にあてがわれる。
【０００３】
特許文献１には、重力を利用して、腰痛周辺の筋肉をほぐすことを目的とした、腰痛改善器について記載されている。
【先行技術文献】
【特許文献】
【０００４】
【特許文献１】特開２０１４−４２７８５号公報
【発明の概要】
【発明が解決しようとする課題】
【０００５】
従来の図６では、他の薄い第２の座布団６０例えば２つ折りにして、第１の座布団１００の上の置くので、設定位置の再現性が悪く、使用者が、膝折りすわりを簡単に、安定することが困難であるという問題点があった。
【０００６】
特許文献１は、腰痛周辺の筋肉をほぐすことを目的とした腰痛改善器であって、使用者が、膝折りすわりを簡単に、安定して行うことを目的としたものではない。。
【０００７】
本発明の課題は、他の個々の部材を準備する必要がなく、また、他の個々の部材を座布団に配置する手間が省ける、１個の座布団で、膝折りすわりを楽に、かつ安定に、使用者の骨盤を上げて座る状態を保つ、健康に良い、膝楽く座布団を提供することである。
【課題を解決するための手段】
【０００８】
本発明の請求項１に係る発明は、座布団台座と、前記座布団台座の両側面に配置された右側肘・手持ちヘリと、左側肘・手持ちヘリと、前記右側肘・手持ちヘリと、左側肘・手持ちヘリとの間であって、前記座布団台座の後方部分にて、膝折りすわり保持具が、配置され、使用者が、右足を、前記右側肘・手持ちヘリと、膝折りすわり保持具との間に差し込み、左足を、前記左側肘・手持ちヘリと、膝折りすわり保持具との間に差し込み、腰を、前記膝折りすわり保持具の上に置いて使用者の骨盤が上げられた状態が保持されて、膝折りすわりが行われることを特徴とする膝楽く座布団である。
【０００９】
本発明の請求項２に係る発明は、前記膝折りすわり保持具の形状は、円板形状の部材を、複数重ねたことを特徴とする請求項１記載の膝楽く座布団である。
【００１０】
本発明の請求項３に係る発明は、前記膝折りすわり保持具の形状は、円柱形状部材と、前記円柱形状部材の上面に配置された、中空突起部材とで構成されたことを特徴とする請求項１記載の膝楽く座布団である。
【００１１】
本発明の請求項４に係る発明は、前記膝折りすわり保持具の形状は、きのこ型の形状であることを特徴とする請求項１記載の膝楽く座布団である。
【００１２】
本発明の請求項５に係る発明は、前記膝折りすわり保持具は、円柱部と、前記円柱部の両側に配置された、使用者のすわる時のガイドの役目をはたすガイド側壁とで構成されたことを特徴とする請求項１記載の膝楽く座布団である。
【００１３】
本発明の請求項６に係る発明は、前記膝折りすわり保持具の外径の最大部分の寸法は、直径１５ｃｍ以上から２０ｃｍ以下の範囲、高さ寸法は、１２ｃｍから１７ｃｍ以下の範囲であることを特徴とする請求項１ないし５のいずれか１項記載の膝楽く座布団である。
【００１４】
膝折りすわり保持具の外径の最大部分の寸法が、１５ｃｍφ以上、高さ寸法は、１２ｃｍ以上であると、使用者の骨盤を最小限の寸法にて安定化することができ、２０ｃｍφ以下、高さ寸法は、１７ｃｍ以下でであると使用者の骨盤を最大限の寸法にて安定化することができる。
【００１５】
本発明の請求項７に係る発明は、前記膝折りすわり保持具には、使用者が膝折りすわりすわるのに、さまたげとならない領域に、キャラクタ部材が取り付けられた事を特徴とする請求項１ないし６のいずれか１項記載の膝楽く座布団である。
【発明の効果】
【００１６】
請求項１に係る発明によれば、膝折りすわりを楽に、かつ安定に、使用者の骨盤を上げて座る状態を保つ、健康に良い、膝楽く座布団を提供することができる。
【００１７】
請求項２に係る発明によれば、使用者の腰の位置のばらつき、傾きに、適応することができる膝楽く座布団を提供することができる。
【００１８】
請求項３に係る発明によれば、使用者の骨盤に、適宜な刺激を与える効果があり、骨盤近傍の血流を増加する効果がある膝楽く座布団を提供することができる。
【００１９】
請求項４に係る発明によれば、膝折りすわりを行う場合、右足および左足の場所を設定する自由度が、高まる膝楽く座布団を提供することができる。
【００２０】
請求項５に係る発明によれば、使用者が、腰を円柱部に乗せる場合に、位置を正確にガイドする膝楽く座布団を提供することができる。
【００２１】
請求項６に係る発明によれば、膝折りすわり用保持具の寸法を最適に選択できる膝楽く座布団を提供することができる。
【００２２】
請求項７に係る発明によれば、膝折りすわり用保持具にキャラクタ部材（動物の形、人形の形、その他）を取り付けることにより、使用者の気分を高揚させる膝楽く座布団を提供することができる。
【００２３】
本発明によれば、他の個々の部材を準備する必要がなく、また、他の個々の部材を座布団に配置する手間が省ける、１個の座布団で、膝折りすわりを楽に、かつ安定に、使用者の骨盤を上げて座る状態を保つ、健康に良い、膝楽く座布団を提供することができる。
更に、使用者の骨盤が上がることによって、座り状態にて、体が動かしやすくなり、
軽いエクササイズ運動を行うことができ、健康増進につながる。
【図面の簡単な説明】
【００２４】
【図１】実施例１の膝楽く座布団の図。
【図２】使用者が、図１の膝楽く座布団に、膝折りすわりを行った状態の図。
【図３】実施例２の膝楽く座布団の図。
【図４】実施例３の膝楽く座布団の図。
【図５】実施例４の膝楽く座布団の図。
【図６】従来の座布団の使用状態の図。
【発明を実施するための形態】
【００２５】
本発明の実施の形態による膝楽く座布団は、座布団台座と、前記座布団台座の両側面に配置された右側肘・手持ちヘリと、左側肘・手持ちヘリと、前記右側肘・手持ちヘリと、左側肘・手持ちヘリとの間であって、前記座布団台座の後方部分にて、膝折りすわり保持具が、配置され、使用者が、右足を、前記右側肘・手持ちヘリと、膝折りすわり保持具との間に差し込み、左足を、前記左側肘・手持ちヘリと、膝折りすわり保持具との間に差し込み、腰を、前記膝折りすわり保持具の上に置いて使用者の骨盤が上げらた状態が保持されて、膝折りすわりが行われる膝楽く座布団である。
【００２６】
ここで、前記膝折りすわり保持具は、円板形状の部材を、複数重ねたことを特徴とする
膝楽く座布団である。更に、前記膝折りすわり保持具は、円柱形状部材と、前記円柱形状部材の上面に配置された、中空突起部材とで構成されたことを特徴とする。
【００２７】
また、前記膝折りすわり保持具は、きのこ型の形状であることを特徴とする膝楽く座布団である。更に、前記膝折りすわり保持具は、円柱部と、前記円柱部の両側に配置された、使用者のすわる時のガイドの役目をはたすガイド側壁とで構成されたことを特徴とする。
【００２８】
前記膝折りすわり保持具の外径の最大部分の寸法は、直径１５ｃｍ以上から２０ｃｍ以下の範囲、高さ寸法は、１２ｃｍから１７ｃｍ以下の範囲である。
膝折りすわり保持具の外径の最大部分の寸法が、１５ｃｍφ以上、高さ寸法は、１２ｃｍ以上であると、使用者の骨盤を最小限の寸法にて安定化することができ、２０ｃｍφ以下、高さ寸法は、１７ｃｍ以下でであると使用者の骨盤を最大限の寸法にて安定化することができる。
【００２９】
なお、前記膝折りすわり保持具には、使用者が膝折りすわりすわるのに、さまたげとならない領域に、キャラクタ部材が取り付けられる。このように、膝折りすわり用保持具にキャラクタ部材（動物の形、人形の形、その他）を取り付けることにより、使用者の気分を高揚させる膝楽く座布団を提供できる。
【００３０】
（実施例１）
図１は、本発明の実施例１の膝楽く座布団の図である。
図１の膝楽く座布団１０は、座布団台座１と、前記座布団台座の両側側面に配置された右側肘・手持ちヘリ２と、左側肘・手持ちヘリ３と、前記右側肘・手持ちヘリ２と、左側肘・手持ちヘリ３との間の、後方部分にて、前記座布団台座１上に配置された２重円柱膝折りすわり用保持具４とで構成されている。
【００３１】
ここで、２重円柱膝折りすわり用保持具４は、下部円板部分４１と、上部円板部分４２とが重ねられた形状である。このように、下部円板部分４１と上部円板部分４２を重ねることによって、使用者２０の腰２３の位置のばらつき、傾きに、適応することができる。
【００３２】
図２は、使用者が、図１の膝楽く座布団１０に、膝折りすわりを行った状態の図である。
使用者２０が、右足２２を、前記右側肘・手持ちヘリ２と、膝折りすわり保持具４との間に差し込み、左足２１を、前記左側肘・手持ちヘリ３と、膝折りすわり保持具４との間に差し込み、腰を２３、前記膝折りすわり保持具４の上に置いて使用者の骨盤が上げらた状態が保持されて、膝折りすわりが行われる。
【００３３】
（実施例２）
図３は、本発明の実施例２の膝楽く座布団１１の図である。
図３の膝楽く座布団１１は、座布団台座１と、前記座布団台座の両側側面に配置された右側肘・手持ちヘリ２と、左側肘・手持ちヘリ３と、前記右側肘・手持ちヘリ２と、左側肘・手持ちヘリ３との間の、後方部分にて、前記座布団台座１上に配置された膝折りすわり用保持具５とで構成されている。
【００３４】
ここで、前記膝折りすわり保持具５は、円柱形状部材５１と、前記円柱形状部材５１の上面に配置された、中空突起部材５２とで構成されている。図３では、中空突起部材５２は、
楕円形状の中空の部材である。前記中空突起部材５２は、使用者の腰が、膝折りすわり保持具５に乗った状態で、骨盤に、適宜な刺激を与える効果があり、骨盤近傍の血流を増加する効果ある。
【００３５】
（実施例３）
図４は、本発明の実施例３の膝楽く座布団の図である。
図４の膝楽く座布団１２は、座布団台座１と、前記座布団台座の両側側面に配置された右側肘・手持ちヘリ２と、左側肘・手持ちヘリ３と、前記右側肘・手持ちヘリ２と、左側肘・手持ちヘリ３との間の、後方部分にて、前記座布団台座１上に配置されたきのこ型の膝折りすわり用保持具６とで構成されている。
【００３６】
前記膝折りすわり保持具６は、きのこ型下部６１の上に、きのこ型上部６２が乗った形状である。前記きのこ型下部６１の外形φ１は、きのこ型上部６２の外形φ２の約３０パーセント程度に設定され使用者が、膝折りすわりを行う場合、右足および左足の場所を設定するが、その場合、自由度が、高まる効果がある。
【００３７】
（実施例４）
図５は、本発明の実施例４の膝楽く座布団の図である。
図５の膝楽く座布団１３は、座布団台座１と、前記座布団台座の両側側面に配置された右側肘・手持ちヘリ２と、左側肘・手持ちヘリ３と、前記右側肘・手持ちヘリ２と、左側肘・手持ちヘリ３との間の、後方部分にて、前記座布団台座１上に配置された膝折りすわり用保持具７とで構成されている。
【００３８】
前記膝折りすわり保持具１３は、円柱部７１と、前記円柱部７１の両側に配置された、使用者のすわる時のガイドの役目をはたすガイド側壁７２，７３とで構成されたことを特徴とする。前記ガイド側壁７２，７３は、使用者が、腰を円柱部７１に乗せる場合に、位置を正確にガイドする役目を有する。
【産業上の利用可能性】
【００３９】
本発明によれば、本発明の課題は、他の個々の部材を準備する必要がなく、また、他の個々の部材を座布団に配置する手間が省ける、１個の座布団で、膝折りすわりを楽に、かつ安定に、使用者の骨盤を上げて座る状態を保つ、健康に良い、膝楽く座布団を提供することでき、使用者の健康増進、および産業の発展に寄与する。
【符号の説明】
【００４０】
１０，１２，１３，１４    膝楽く座布団
１    座布団基台
２    右側肘・手持ちヘリ
３    左手肘・手持ちヘリ
４    膝折りすわり用保持具
４１    下部円板部分
４２    上部円板部分
５    膝折りすわり用保持具（中央に中空の突起物）
５１  円柱形状部材
５２  中空突起部材
６    膝折りすわり用保持具
６１    きのこ型下部
６２    きのこ型上部
７    膝折りすわり用保持具
７１ 、７２    ガイド側壁
２０    使用者
２１    使用者の右足
２２    使用者の左足
２３    使用者の腰部
６０      折り曲げた座布団
１００    座布団
【図１】
2018099225.tif 000003
【図２】
2018099225.tif 000004
【図３】
2018099225.tif 000005
【図４】
2018099225.tif 000006
【図５】
2018099225.tif 000007
【図６】
2018099225.tif 000008
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
座布団台座と、前記 座布団台座の両側面に配置された右側肘・手持ちヘリと、左側肘・手持ちヘリと、
前記右側肘・手持ちヘリと、左側肘・手持ちヘリとの間であって、前記座布団台座の後方部分にて、膝折りすわり保持具が、配置され、
使用者が、右足を、前記右側肘・手持ちヘリと、膝折りすわり保持具との間に差し込み、
左足を、前記左側肘・手持ちヘリと、膝折りすわり保持具との間に差し込み、腰を、
前記膝折りすわり保持具の上に置いて
使用者の骨盤が上げらた状態が保持されて、
膝折りすわりが行われることを特徴とする膝楽く座布団。
【請求項２】
前記膝折りすわり保持具は、円板形状の部材を、複数重ねたことを特徴とする
請求項１記載の膝楽く座布団。
【請求項３】
前記膝折りすわり保持具は、円柱形状部材と、前記円柱形状部材の上面に配置された、中空突起部材とで構成されたことを特徴とする請求項１記載の膝楽く座布団。
【請求項４】
前記膝折りすわり保持具は、きのこ型の形状であることを特徴とする請求項１記載の膝楽く座布団。
【請求項５】
前記膝折りすわり保持具は、円柱部と、前記円柱部の両側に配置された、使用者のすわる時のガイドの役目をはたすガイド側壁とで構成されたことを特徴とする請求項１記載の膝楽く座布団。
【請求項６】
前記膝折りすわり保持具の外径の最大部分の寸法は、直径１５ｃｍ以上から２０ｃｍ以下の範囲、高さ寸法は、１２ｃｍ以上から１７ｃｍ以下の範囲であることを特徴とする請求項１ないし５のいずれか１項記載の膝楽く座布団。
【請求項７】
前記膝折りすわり保持具には、使用者が膝折りすわりを行うのに、さまたげとならない領域に、キャラクタ部材が取り付けられた事を特徴とする請求項１ないし６のいずれか１項記載の膝楽く座布団。
【手続補正２】
【補正対象書類名】明細書
【補正対象項目名】０００６
【補正方法】変更
【補正の内容】
【０００６】
特許文献１は、腰痛周辺の筋肉をほぐすことを目的とした腰痛改善器であって、使用者が、膝折りすわりを簡単に、安定して行うことを目的としたものではない。
【手続補正３】
【補正対象書類名】明細書
【補正対象項目名】００１３
【補正方法】変更
【補正の内容】
【００１３】
本発明の請求項６に係る発明は、前記膝折りすわり保持具の外径の最大部分の寸法は、直径１５ｃｍ以上から２０ｃｍ以下の範囲、高さ寸法は、１２ｃｍ以上から１７ｃｍ以下の範囲であることを特徴とする請求項１ないし５のいずれか１項記載の膝楽く座布団である。
【手続補正４】
【補正対象書類名】明細書
【補正対象項目名】００１５
【補正方法】変更
【補正の内容】
【００１５】
本発明の請求項７に係る発明は、前記膝折りすわり保持具には、使用者が膝折りすわりを行うのに、さまたげとならない領域に、キャラクタ部材が取り付けられた事を特徴とする請求項１ないし６のいずれか１項記載の膝楽く座布団である。
【手続補正５】
【補正対象書類名】明細書
【補正対象項目名】００２５
【補正方法】変更
【補正の内容】
【００２５】
本発明の実施の形態による膝楽く座布団は、座布団台座と、前記座布団台座の両側面に配置された右側肘・手持ちヘリと、左側肘・手持ちヘリと、前記右側肘・手持ちヘリと、左側肘・手持ちヘリとの間であって、前記座布団台座の後方部分にて、膝折りすわり保持具が、配置され、使用者が、右足を、前記右側肘・手持ちヘリと、膝折りすわり保持具との間に差し込み、左足を、前記左側肘・手持ちヘリと、膝折りすわり保持具との間に差し込み、腰を、前記膝折りすわり保持具の上に置いて使用者の骨盤が上げられた状態が保持されて、膝折りすわりが行われる膝楽く座布団である。
【手続補正６】
【補正対象書類名】明細書
【補正対象項目名】００２８
【補正方法】変更
【補正の内容】
【００２８】
前記膝折りすわり保持具の外径の最大部分の寸法は、直径１５ｃｍ以上から２０ｃｍ以下の範囲、高さ寸法は、１２ｃｍ以上から１７ｃｍ以下の範囲である。
膝折りすわり保持具の外径の最大部分の寸法が、１５ｃｍφ以上、高さ寸法は、１２ｃｍ以上であると、使用者の骨盤を最小限の寸法にて安定化することができ、２０ｃｍφ以下、高さ寸法は、１７ｃｍ以下であると使用者の骨盤を最大限の寸法にて安定化することができる。
【手続補正７】
【補正対象書類名】明細書
【補正対象項目名】００２９
【補正方法】変更
【補正の内容】
【００２９】
なお、前記膝折りすわり保持具には、使用者が膝折りすわりを行うのに、さまたげとならない領域に、キャラクタ部材が取り付けられる。このように、膝折りすわり用保持具にキャラクタ部材（動物の形、人形の形、その他）を取り付けることにより、使用者の気分を高揚させる膝楽く座布団を提供できる。
【手続補正８】
【補正対象書類名】明細書
【補正対象項目名】００３２
【補正方法】変更
【補正の内容】
【００３２】
図２は、使用者が、図１の膝楽く座布団１０に、膝折りすわりを行った状態の図である。
使用者２０が、右足２２を、前記右側肘・手持ちヘリ２と、膝折りすわり保持具４との間に差し込み、左足２１を、前記左側肘・手持ちヘリ３と、膝折りすわり保持具４との間に差し込み、腰を２３、前記膝折りすわり保持具４の上に置いて使用者の骨盤が上げられた状態が保持されて、膝折りすわりが行われる。